(57)【要約】【課題】ケースに対するスピーカ関連部品の組み込み作業が容易にでき、また、部品位置のずれ等の発生を防止して端子とコネクタとの接続に不具合を生じさせない携帯端末装置を提供する。【解決手段】ヒンジケース２５と、ヒンジケース２５内部に配設されるスピーカホルダ３１と、スピーカホルダ３１に形成されたスピーカ収納部３１ａに収納される電気部品（スピーカ、カメラ等）とを備えた携帯端末装置において、スピーカホルダ３１に取り付けられて、電気部品をスピーカ収納部３１ａに保持するリアプレート３２と、リアプレート３２に取り付けられて、電気部品に配設されたスピーカ接続端子３０ａに接続される第２接続端子を有するＦＰＣ３３と備えた。【選択図】図３
2008182606.tif 000002
【特許請求の範囲】
【請求項１】
筐体と、
筐体内部に配設される保持部材と、
前記保持部材に形成された収納部に収納される電気部品と、
を備えた携帯端末装置において、
前記保持部材に取り付けられて、前記電気部品を前記収納部に保持する支持部材と、
前記支持部材に取り付けられて、前記電気部品に配設された第１接続端子に接続される第２接続端子を有する配線部材と、備えた、
ことを特徴とする携帯端末装置。
【請求項２】
前記電気部品は、背面部に前記第１接続端子が配設され、
前記支持部材は、前記電気部品の背面側を支持する
ことを特徴とする請求項１に記載の携帯端末装置。
【請求項３】
前記筐体の内部に配置される回路基板を有し、
前記配線部材は、前記回路基板と電気的に接続されるコネクタ部を有する
ことを特徴とする請求項１または２に記載の携帯端末装置。
【請求項４】
前記保持部材は、前記電気部品とは異なる第２の電子部品を保持し、
前記配線部材は、前記第２の電子部品に設けられた第３接続端子と接続される第４接続端子を有する
ことを特徴とする請求項３に記載の携帯端末装置。
【請求項５】
前記配線部材は、可撓性の回路基板で構成されている
ことを特徴とする請求項１から４のいずれか一項に記載の携帯端末装置。
【請求項６】
前記配線部材は、実装電子部品が実装されている
ことを特徴とする請求項５に記載の携帯端末装置。
【請求項７】
前記支持部材は、板状部材で構成され、
前記筐体は、前記板状部材に対向する表面部に外装部品が配置されている
ことを特徴とする請求項１から６のいずれか一項に記載の携帯端末装置。
【発明の詳細な説明】
【技術分野】
【０００１】
この発明は、筐体内部に配置されたスピーカやカメラなどの電気部品を保持するための保持構造を有する携帯端末装置に関する。
【背景技術】
【０００２】
従来、携帯端末装置としての携帯電話機の筐体内部に配置されるスピーカの保持構造として、「スピーカ構造」（特許文献１参照）が知られている。
この「スピーカ構造」においては、ケース裏面にスピーカ保持部を設け、基板上にスピーカコネクタを配置して、ケース基板と組み合わせることにより、スピーカの端子と基板上のスピーカコネクタとが導通（当接）される構成となっている。
【特許文献１】特開２００１−１２７８６２号公報
【発明の開示】
【発明が解決しようとする課題】
【０００３】
しかしながら、ケースに対してスピーカ、ホルダ、スピーカコネクタ（基板）等のスピーカ関連部品を順次組み込む構成となるため、作業性が悪い。また、スピーカの端子と基板上のスピーカコネクタとは、筐体全体が組み合わされることで導通される構成であるため、組み付け誤差や落下等の衝撃入力により生じる部品位置のずれ等により、端子とコネクタとの接続に不具合が生じる虞がある。
この発明の目的は、筐体内部への電機部品の組み込み作業が容易にでき、また、部品位置のずれ等の発生を防止して電機部品に設けられた端子の接続に不具合を生じさせない携帯端末装置を提供することである。
【課題を解決するための手段】
【０００４】
上記目的を達成するため、この発明に係る携帯端末装置は、筐体と、筐体内部に配設される保持部材と、前記保持部材に形成された収納部に収納される電気部品と、を備えた携帯端末装置において、前記保持部材に取り付けられて、前記電気部品を前記収納部に保持する支持部材と、前記支持部材に取り付けられて、前記電気部品に配設された第１接続端子に接続される第２接続端子を有する配線部材と、備えたことを特徴としている。
また、この発明は、前記電気部品は、背面部に前記第１接続端子が配設され、前記支持部材は、前記電気部品の背面側を支持することが好ましい。
また、この発明は、前記筐体の内部に配置される回路基板を有し、前記配線部材は、前記回路基板と電気的に接続されるコネクタ部を有することが好ましい。
【０００５】
また、この発明は、前記保持部材は、前記電気部品とは異なる第２の電子部品を保持し、前記配線部材は、前記第２の電子部品に設けられた第３接続端子と接続される第４接続端子を有することが好ましい。
また、この発明は、前記配線部材は、可撓性の回路基板で構成されていることが好ましい。
また、この発明は、前記配線部材は、実装電子部品が実装されていることが好ましい。
また、この発明は、前記支持部材は、板状部材で構成され、前記筐体は、前記板状部材に対向する表面部に外装部品が配置されていることが好ましい。
【発明の効果】
【０００６】
この発明によれば、筐体内部への電気部品の組み込み作業が容易にでき、また、部品位置のずれ等の発生が防止されて電気部品に設けられた端子の接続に不具合が生じることがない。
【発明を実施するための最良の形態】
【０００７】
以下、この発明を実施するための最良の形態について図面を参照して説明する。
図１は、この発明の一実施の形態に係る携帯電話機の開状態を示し、（ａ）はメイン表示器側の斜視図、（ｂ）はサブ表示器側の斜視図である。図１に示すように、携帯端末装置の一例としての携帯電話機１０は、例えば、表示器側筐体１１とキー側筐体１２が、表示器側筐体１１の一端部に設けられたヒンジ部（連結部）１３（（ａ）参照）を介して相互回動自在に連結された折り畳み構造を有しており、表示器側筐体１１とキー側筐体１２が互いに離反した開状態にすることができる。
【０００８】
ヒンジ部１３は、表示器側筐体１１の一端部側に突設されており、キー側筐体１２の一端部に回動自在に軸支されている。このヒンジ部１３で連結された表示器側筐体１１とキー側筐体１２は、両筐体が略直線上に連続する開状態或いは両筐体が上下に重なった閉状態（図示しない）に、自在に開閉することができる。
表示器側筐体１１の表示面側には、メイン液晶表示器（Ｌｉｑｕｉｄ  Ｃｒｙｓｔａｌ  Ｄｉｓｐｌａｙ：ＬＣＤ）１４（（ａ）参照）が、その裏面側には、サブＬＣＤ１５（（ｂ）参照）が、それぞれ装着されている。キー側筐体１２の外面上、即ち、操作面側には、押下可能な複数の操作キーを配置した操作部１６（（ａ）参照）が、その裏面側には、バッテリ格納部（図示しない）を塞ぐ蓋体１７（（ｂ）参照）が、それぞれ装着されている。
【０００９】
図２は、図１の携帯電話機１０における表示器側筐体１１とキー側筐体１２とヒンジ部１３との分解構成図である。図２に示すように、表示器側筐体１１は、フロントケース１８とリアケース１９を重ね合わせた状態で結合して構成され、フロントケース１８とリアケース１９の間には、サブＬＣＤ１５、ＬＣＤ側基板、ＬＣＤフレーム、及びメインＬＣＤを積み重ねた状態で一体に形成されたＬＣＤユニット２０が、収納されている。キー側筐体１２は、フロントケース２１とリアケース２２を重ね合わせた状態で結合して構成され、フロントケース２１とリアケース２２の間には、操作キー部２３及びキー基板部２４が積み重ねた状態で収納されている。
【００１０】
ヒンジ部材１３は、ヒンジフロントケース２５ａとヒンジリアケース２５ｂから構成されるヒンジケース（筐体）２５の内部に、第１回転部材２６、第２回転部材２７及びダミーヒンジ２８と共にスピーカユニット２９等を収容し、両ケース２５ａ，２５ｂを重ね合わせた状態で結合して構成されている。このスピーカユニット２９は、スピーカ及びスピーカを保持するスピーカホルダを有しており、ヒンジケース２５の内部に配設されている。また、ヒンジケース２５の内部には、キー側筐体１２内のメイン基板（回路基板）に接続されるケーブル３５が配置されている。
【００１１】
第１回転部材２６は表示器側筐体１１に、第２回転部材２７はキー側筐体１２に、それぞれ装着される。ダミーヒンジ２８は、第２回転部材２７と対で設けられており、表示器側筐体１１とキー側筐体１２のそれぞれに内蔵された回路基板を電気的に接続するためのケーブル部材（図示しない）を通す孔を有している。
第１回転部材２６は、一端が表示器側筐体１１に結合されて、表示器側筐体１１をキー側筐体１２に対して表裏回転可能にヒンジ部１３と連結し、第２回転部材２７は、軸方向一端側がキー側筐体１２の筐体長手方向一端側（図２における左側）に形成されて筐体幅方向に向かって開口された図示しない軸受け部に挿嵌されて軸方向他端側がヒンジ部１３の該軸受け部に対向して形成されたヒンジ軸受け部に挿嵌されて、表示器側筐体１１とキー側筐体１２とを開閉方向に回転可能に連結している。ダミーヒンジ２８は、第２回転部材２７と対で設けられており、表示器側筐体１１とキー側筐体１２のそれぞれに内蔵された回路基板を電気的に接続するためのケーブル部材（図示しない）を通す孔を有している。
【００１２】
図３は、図２のスピーカユニットを構成する各部材示し、（ａ）はスピーカ格納前の斜視図、（ｂ）はスピーカ格納後の斜視図、（ｃ）はＦＰＣ装着前の斜視図である。図３に示すように、スピーカ３０は、背面部にスピーカ接続端子（第１接続端子）３０ａが配設されており、スピーカホルダ（保持部材）３１は、筐体幅方向である長手方向略両端部に設けた凹部状のスピーカ収納部（収納部）３１ａが形成された横長板体形状を有している（（ａ）参照）。スピーカ収納部３１ａには、スピーカ接続端子３０ａが配設された背面部側を露出させてスピーカ３０が配置されている（（ｂ）参照）。スピーカ収納部３１ａには、スピーカ３０に代えてカメラ部材（図示しない）等の各種電気部品等が収納されるように構成してもよい。
【００１３】
スピーカホルダ３１には、スピーカ３０を収納したスピーカ収納部３１ａに対向して、露出するスピーカ３０の背面を覆って、横長薄板状の板金（板金部材）で構成されたリアプレート（支持部材）３２が装着される（（ｂ）参照）。このリアプレート３２によってスピーカ３０の背面側が支持される。リアプレート３２は、外周縁の複数箇所に形成した被嵌合部３２ａを有しており、これらの被嵌合部３２ａを、被嵌合部３２ａに対応して形成されたスピーカホルダ３１の爪状嵌合部３１ｂと嵌合させることにより、スピーカホルダ３１に結合固定される（（ｃ）参照）。
【００１４】
このように、リアプレート３２は、スピーカホルダ３１に結合されて、スピーカ３０等の各種電気部品をスピーカ収納部３１ａに保持しており、ヒンジケース２５の、リアプレート３２に対向する表面部には、外装部品（操作キー、カメラ、表示器等）が配置されている。ここでは操作キー３６が配置されている。
リアプレート３２には、可撓性を備えた回路基板であるフレキシブルプリント配線板（Ｆｌｅｘｉｂｌｅ  Ｐｒｉｎｔｅｄ  Ｃｉｒｃｕｉｔ：ＦＰＣ）３３で構成された配線部材がスピーカ３０に対向する側の面とは反対側の面（図３における上面）に取り付けられている（（ｃ）参照）。このＦＰＣ（配線部材）３３には、ヒンジケース２５に配置された操作キー３６に対応した位置にキースイッチ（実装電子部品）３３ａが実装されている。
【００１５】
また、ＦＰＣ３３は、リアプレート３２に対向する裏面（図３における下面）に、スピーカ３０に配設されたスピーカ接続端子３０ａに接続される第２接続端子を有すると共に、該裏面とは反対側の表面（図３における上面）にはキー側筐体１２内のメイン基板（図示しない）と電気的に接続されるケーブル３５の端部に設けられた接続部と接続されるコネクタ部３４を有している。更に、ＦＰＣ３３は、スピーカホルダ３１に保持された、スピーカ３０やカメラ部材等の各種電気部品とは異なる電子部品である、例えばバイブモータ（第２の電子部品）に設けられた第３接続端子と接続される、第４接続端子を有している。ここでは、スピーカホルダ３１に形成されたモータ収納部３１ｃに図示しないバイブモータが収納されて配設される。
そして、スピーカホルダ３１にリアプレート３２を結合固定した後、リアプレート３２の上面に両面テープなどの接着部材を用いてＦＰＣ３３を取り付けることで、スピーカ３０のスピーカ接続端子３０ａとＦＰＣ３３の第２接続端子とが当接されてスピーカ３０とＦＰＣ３３とが電気的に接続された状態でスピーカユニット２９（図２参照）が形成される。
【００１６】
図４は、スピーカユニット２９の装着状態を示す斜視図である。図４に示すように、スピーカユニット２９を、ヒンジフロントケース２５ａの内部に組み込むことにより、ヒンジケース２５の内部に収納する。このとき、ＦＰＣ３３のグランド（ＧＮＤ）は、コネクタ部３４に接続された同軸ケーブル３５を介してキー側筐体１２に接続されると共に、ヒンジ部材１３の第１回転部材２６（図２参照）とリアプレート３２を介して表示器側筐体１１に接続される。そして、第１回転部材２６とリアプレート３２のＧＮＤを接続する。なお、リアプレート３２にＦＰＣ３３を取り付ける際、ＦＰＣ３３の裏面に配置されたＧＮＤ端子とリアプレート３２の表面とが当接されて、両者は導通されている。
【００１７】
つまり、板金で構成されるリアプレート３２にＦＰＣ３３が配置されており、リアプレート３２とＦＰＣ３３とが導通されて、リアプレート３２がＧＮＤ部位に導通される構成となっている。
図５は、ヒンジフロントケース２５ａにヒンジリアケース２５ｂを装着する状態を示し、（ａ）はヒンジリアケース２５ｂへのキー部材３６の取り付け説明図、（ｂ）はヒンジフロントケース２５ａへのヒンジリアケース２５ｂの取り付け説明図である。図６は、スピーカユニット２９がヒンジケース２５に収納された状態を示す断面図である。
【００１８】
図５に示すように、ヒンジリアケース２５ｂの内面側にキー部材（メディアキー）３６を取り付けた（（ａ）参照）後、キー部材３６を取り付けたヒンジリアケース２５ｂを、キー部材３６がスピーカユニット２９のＦＰＣ３３に対向されて重なるようにして、ヒンジフロントケース２５ａに装着する（（ｂ）参照）。ヒンジフロントケース２５ａとヒンジリアケース２５ｂは、例えば、ボス嵌合により結合状態になる。
図６に示すように、スピーカユニット２９がヒンジケース２５に収納されることにより、リアプレート３２を挟んで、リアプレート３２の一方面側にスピーカユニット２９のスピーカホルダ３１が、リアプレート３２の他方面側にＦＰＣ３３が、それぞれ配置されることになり、このとき、キー部材３６の筐体内部側に配置された突起状の各押し子３６ａとＦＰＣ３３のキースイッチ３３ａが当接した状態になる。
【００１９】
このように、スピーカ３０やカメラ部材（図示しない）等の各種電気部品をスピーカホルダ３１のスピーカ収納部３１ａに保持するリアプレート３２に、当該電気部品のスピーカ接続端子３０ａに接続される第２接続端子を有するＦＰＣ３３を取り付けた構成として、ユニット化することができ、組み付け作業性を向上させることができると共に、リアプレート３２がスピーカホルダ３１に取り付けられることにより、端子同士を確実に接続させることができる。
つまり、リアプレート３２を設けたことにより、別部材を設けることなく静電気対策が容易にでき、且つ、モジュール化することにより、確実及び安定した接続ができ、組み付け作業が容易になる。また、リアプレート３２は、必要な場所に延ばして自由な形状にすることができる。
【００２０】
よって、この発明に係る携帯電話機１０は、ケースに対するスピーカ関連部品の組み込み作業が容易にでき、また、部品位置のずれ等の発生を防止してスピーカ３０のスピーカ接続端子３０ａとＦＰＣ３３の第２接続端子との接続に不具合を生じさせることがない。
なお、本発明は、上述した実施の形態により説明したが、この実施の形態に限定されるものではない。従って、本発明の趣旨を逸脱することなく変更態様として実施するものも含むものである。例えば、携帯電話機１の形式として、２軸ヒンジ式に限定されることなく、折り畳み式やスライダ式、リボルバ式のものでもよく、ストレートタイプのものでもよい。また、携帯電話機１に限定されることなく、その他の携帯端末装置に適用することも可能である。
【図面の簡単な説明】
【００２１】
【図１】この発明の一実施の形態に係る携帯電話機の開状態を示し、（ａ）はメイン表示器側の斜視図、（ｂ）はサブ表示器側の斜視図である。
【図２】図１の携帯電話機の分解構成図である。
【図３】図２のスピーカユニットを構成する各部材示し、（ａ）はスピーカ格納前の斜視図、（ｂ）はスピーカ格納後の斜視図、（ｃ）はＦＰＣ装着後の斜視図である。
【図４】スピーカユニットの装着状態を示す斜視図である。
【図５】ヒンジフロントケースにヒンジリアケースを装着する状態を示し、（ａ）はヒンジリアケースへのキー部材取り付け説明図、（ｂ）はヒンジフロントケースへのヒンジリアケースへの取り付け説明図である。
【図６】スピーカユニットがヒンジケースに収納された状態を示す断面図である。
【符号の説明】
【００２２】
１０  携帯電話機
１１  表示器側筐体
１２  キー側筐体
１３  ヒンジ部
１４  ＬＣＤ
１５  サブＬＣＤ
１６  操作部
１７  蓋体
１８  フロントケース
１９  リアケース
２０  ＬＣＤユニット
２１  フロントケース
２２  リアケース
２３  操作キー部
２４  キー基板部
２５  ヒンジケース
２５ａ  ヒンジフロントケース
２５ｂ  ヒンジリアケース
２６  第１回転部材
２７  第２回転部材
２８  ダミーヒンジ
２９  スピーカユニット
３０  スピーカ
３０ａ  スピーカ接続端子
３１  スピーカホルダ（保持部材）
３１ａ  スピーカ収納部（収納部）
３１ｂ  爪状嵌合部
３２  リアプレート（支持部材）
３２ａ  被嵌合部
３３  ＦＰＣ
３３ａ  キースイッチ（実装電子部品）
３４  コネクタ部
３５  同軸ケーブル
３６  キー部材
【図１】
2008182606.tif 000003
【図２】
2008182606.tif 000004
【図３】
2008182606.tif 000005
【図４】
2008182606.tif 000006
【図５】
2008182606.tif 000007
【図６】
2008182606.tif 000008